(57)【要約】【課題】  パーソナルコンピューターや携帯電話等を使用する場合であっても、指に違和感が無く、使用感に優れた粘着保護部材（但し、さかむけ用粘着保護部材を除く。）を提供する。【解決手段】少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材（但し、さかむけ用粘着保護部材を除く。）等であって、基材の表面に、補強用剥離部材が積層してあり、かつ、平面形状を略三日月状、楕円、円形、四角形、または多角形とする。【選択図】  図１
2010148932.tif 000002
【特許請求の範囲】
【請求項１】
少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材（但し、さかむけ用粘着保護部材を除く。）であって、
前記基材の表面に、補強用剥離部材が積層してあり、かつ、平面形状を略三日月状、楕円、円形、四角形、または多角形とすることを特徴とする粘着保護部材。
【請求項２】
前記基材の伸び率（ＪＩＳ−Ｌ−１０９６準拠）が４００％以上であることを特徴とする請求の範囲第１項に記載の粘着保護部材。
【請求項３】
前記粘着保護部材の側面と、別の粘着保護部材の側面とが、係合するための係合部材を備えることを特徴とする請求の範囲第１項または第２項に記載の粘着保護部材。
【請求項４】
前記粘着保護部材の側面に、フラップ部を設けることを特徴とする請求の範囲第１項〜第３項のいずれか一項に記載の粘着保護部材。
【請求項５】
ＪＩＳ  Ｚ−０２０８に準拠して測定される基材の透湿度を、１００〜９００ｇ／ｍ2・２４Ｈｒｓの範囲内の値とすることを特徴とする請求の範囲第１項〜第４項のいずれか一項に記載の粘着保護部材。
【請求項６】
前記基材の表面に、指爪の種類に対応した識別マークあるいは装飾層が設けてあることを特徴とする請求の範囲第１項〜第５項のいずれか一項に記載の粘着保護部材。
【請求項７】
前記粘着剤層が、全体量に対して、無機充填剤を０．１〜１０重量％の範囲で含有したオルガノポリシロキサン系感圧粘着剤から構成してあることを特徴とする請求の範囲第１項〜第６項のいずれか一項に記載の粘着保護部材。
【請求項８】
少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材の製造方法（但し、さかむけ用粘着保護部材の製造方法を除く。）であって、基材の表面に、補強用剥離部材が積層してあり、かつ、平面形状を略三日月状、楕円、円形、四角形、または多角形とする以下の工程（ａ）〜（ｂ）を含むことを特徴とする粘着保護部材の製造方法。
（ａ）基材上に、剥離部材付きの粘着剤層を形成する工程
（ｂ）平面形状が略三日月状、楕円、円形、四角形、または多角形となるように切断して、粘着保護部材とする工程
【発明の詳細な説明】
【技術分野】
【０００１】
本発明は、粘着保護部材およびその製造方法（但し、さかむけ用粘着保護部材およびその製造方法を除く。）に関し、特に、指の裏側を露出させた状態で貼付できることにより、使用感に優れた粘着保護部材およびその製造方法に関する。
【背景技術】
【０００２】
従来、医療用粘着テープは、皮膚（角質層）に貼り付けたり、巻きつけたりして使用されることから、皮膚に対する適度な接着性とともに、皮膚の角質層に対して、剥離損傷による皮膚刺激やかぶれを発症させない適度な剥離性を有するものが求められている。
しかしながら、このような医療用粘着テープを切り傷用テープ等として使用した場合、切り傷等が発生した箇所を選択的あるいは局所的に覆うことは困難であって、指全体に巻きつける必要があった。ところが、このように医療用粘着テープを指全体に巻きつけてしまうと、パーソナルコンピューターや携帯電話等を使用する場合、あるいは美容業者等が仕事する場合に、指に違和感が生じたり、誤タイプ等をしやすいという問題が見られた。
【０００３】
そこで、さかむけ防止用軟膏や切り傷用軟膏として、親水性コロイド状の水溶性高分子と、液状炭化水素化合物と、薬剤と、を主成分とした液体絆創膏が提案されている（例えば、特許文献１参照）。
【０００４】
また、図７に示すように、通気孔１０３を設けたフィルム１０４に粘着剤を施してなり、且つその全体形状は、指の腹側と背側のそれぞれに貼り付けられる円形状部１０２の間に、括れ部１０１を有する形状とされ、さらに指の腹側と背側に貼り付けられる部分の長さが、指先から第１関節の手前までの長さ程度とされ、また括れ部１０１の最小幅が指爪の幅とほぼ同じかやや狭い程度とされ、そして括れ部１０１に位置対応させて非粘着性のパッド部１０６が設けられた指爪被覆テープ１００が提案されている（例えば、特許文献２参照）。
【先行技術文献】
【特許文献】
【０００５】
【特許文献１】特開２００１−９７８４８（特許請求の範囲）
【特許文献２】特開平１１−１９１１８（特許請求の範囲）
【発明の概要】
【発明が解決しようとする課題】
【０００６】
しかしながら、特許文献１に開示された液体絆創膏は、皮膚に対する密着性が乏しく、切り傷等の保護が不十分となりやすい一方、均一に塗布することが困難であることより、パーソナルコンピューターや携帯電話等を使用する場合や、美容業者等が洗髪等する場合に、指に対する違和感が生じやすいという問題が見られた。
また、特許文献２に開示された指爪被覆テープは、指爪を覆ってしまうことから剥がれにくいという利点があるものの、パーソナルコンピューターや携帯電話等を使用する場合に、指に対する違和感が極めて大きいという問題が見られた。
【０００７】
そこで、本発明者は、平面形状を所定形状とすることにより、指の裏側を露出させた状態で貼付できることができる一方、切り傷等が発生した部分を選択的に被覆することができ、パーソナルコンピューターや携帯電話等を使用する場合であっても、優れた使用感が得られることを見出し、本発明を完成したものである。
すなわち、本発明は、切り傷等が発生した部分を選択的に被覆することができ、保護性に優れるとともに、優れた使用感が得られる粘着保護部材およびその製造方法を提供することを目的とする。
【課題を解決するための手段】
【０００８】
本発明によれば、少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材であって、基材の表面に、補強用剥離部材が積層してあり、かつ、平面形状を略三日月状、楕円、円形、四角形、または多角形とすることを特徴とする粘着保護部材が提供され、上述した問題を解決することができる。
すなわち、切り傷等の粘着保護部材としての粘着保護部材の平面形状を所定形状とすることにより、指の裏側を露出させた状態で貼付できることができる一方、指爪の周囲あるいは指の長手方向に沿って、切り傷等が生じる部分のみを被覆することができる。したがって、指に対する違和感が生じることなく、効果的に切り傷箇所等を保護することができる。
また、基材の表面に、補強用剥離部材を積層することにより、製造時の工程紙としての機能を発揮させることもできる。
【０００９】
また、本発明の粘着保護部材を構成するにあたり、粘着保護部材の基材の伸び率（ＪＩＳ−Ｌ−１０９６準拠）が４００％以上であることが好ましい。
このように構成することにより、伸び率が大きくて取り扱いが困難な基材を備えた粘着保護部材であっても、所定箇所に容易に貼付できるとともに、切り傷等が発生した部分を選択的に被覆することができて、優れた使用感を得ることができる。
【００１０】
また、本発明の粘着保護部材を構成するにあたり、粘着保護部材の側面と、別の粘着保護部材の側面とが、係合するための係合部材を備えることが好ましい。
このように構成することにより、複数枚の粘着保護部材を、隙間なく並べることができ、省スペース化や製造上極めて有利である。また、指の大きさや、切り傷箇所等の大きさに合わせて、複数枚の粘着保護部材を並べて使用する場合にも有利となる。
【００１１】
また、本発明の粘着保護部材を構成するにあたり、粘着保護部材の側面に、フラップ部を設けることが好ましい。
このように構成することにより、粘着保護部材が小さくても取り扱いが容易になるばかりか、皮膚に対する接着面積を大きくし、粘着力を調整することもできる。
【００１２】
また、本発明の粘着保護部材を構成するにあたり、ＪＩＳ  Ｚ−０２０８に準拠して測定される基材の透湿度を、１００〜９００ｇ／ｍ2・２４Ｈｒｓの範囲内の値とすることが好ましい。
このように構成することにより、水仕事や外仕事、あるいは医療分野等においても、外部からの液体物の進入を容易に防止して、衛生環境上好ましいばかりか、粘着保護部材の剥がれを有効に防止することができる。
【００１３】
また、本発明の粘着保護部材を構成するにあたり、基材の表面に、指爪の種類に対応した識別マークあるいは装飾層を設けることが好ましい。
このように構成することにより、粘着保護部材を使用する際の使い勝手が向上するばかりか、装飾部材としての価値も向上させることができる。
【００１４】
また、本発明の粘着保護部材を構成するにあたり、粘着剤層が、全体量に対して、無機充填剤を０．１〜１０重量％の範囲で含有したオルガノポリシロキサン系感圧粘着剤から構成してあることが好ましい。
このように構成することにより、皮膚に対して、適度な粘着性を示すことができる一方、耐クリープ性、耐水性、さらには耐薬品性についても向上させることができる。
【００１５】
また、本発明の別の態様は、少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材の製造方法（但し、さかむけ用粘着保護部材の製造方法を除く。）であって、基材の表面に、補強用剥離部材が積層してあり、かつ、平面形状を略三日月状、楕円、円形、四角形、または多角形とする以下の工程（ａ）〜（ｂ）を含むことを特徴とする粘着保護部材の製造方法である。
（ａ）基材上に、剥離部材付きの粘着剤層を形成する工程
（ｂ）平面形状が略三日月状、楕円、円形、四角形、または多角形となるように切断して、粘着保護部材とする工程
【図面の簡単な説明】
【００１６】
【図１】（ａ）〜（ｂ）は、本発明の粘着保護部材の平面図及び断面図であり、（ｃ）は、補強剥離部材を備えた粘着保護部材の断面図である。
【図２】（ａ）及び（ｂ）は、本発明の粘着保護部材の使用状態を説明するために供する図である。
【図３】複数枚の粘着保護部材を並べて配置した状態を説明するために供する図である。
【図４】フラップを備えた粘着保護部材の平面図である。
【図５】（ａ）〜（ｃ）は、粘着保護部材の撥水処理層、不織布としての基材、装飾層を説明するために供する図である。
【図６】（ａ）〜（ｄ）は、粘着保護部材の製造方法を説明するために供する図である。
【図７】従来の指爪被覆テープを示す概略図である。
【発明を実施するための形態】
【００１７】
［第１の実施形態］
第１の実施形態は、少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材（但し、さかむけ用粘着保護部材を除く。）であって、平面形状を、略三日月状、楕円、円形、四角形、または多角形とした粘着保護部材である。
例えば、図１（ａ）及び（ｂ）に例示するように、少なくとも粘着剤層１４と、基材１２と、を含み、指爪の周囲を表面的に覆うように貼付するための粘着保護部材１０であって、その平面形状が略三日月状等であることを特徴とする粘着保護部材１０である。また、図１（ｃ）に例示するように、基材の表面に、補強用剥離部材を積層した構成とする。
【００１８】
したがって、第１の実施形態の粘着保護部材１０は、図２（ａ）及び（ｂ）に例示するように、切り傷等の保護に適しており、剥離部材１６を除去した状態で、指爪３０の周囲を表面的に覆うように貼付して使用することを意図している。すなわち、指３１の側面の一部までは覆うものの、指に対する違和感が生じることがないように、指３１の裏側までは覆わない状態で使用するものである。
以下、第１の実施形態の粘着保護部材１０の実施形態を説明する。
【００１９】
１．基材
（１）種類
粘着保護部材の一部を構成する基材の種類としては特に制限されるものでなく、例えば、ポリウレタンフィルム、ポリエステルフィルム、塩化ビニルフィルム、オレフィンフィルム、ポリカーボネートフィルム、ポリサルフォンフィルム、ポリフェニレンサルファイドフィルム、ポリイミドフィルム、紙、繊維入りフィルム等が挙げられる。
また、基材の形態についても特に制限されるものでなく、例えば、メッシュ状素材であっても、あるいは織布または不織布であっても良い。
例えば、メッシュ状素材や不織布を用いると、極めてクッション性や通気性に優れた粘着保護部材とすることができる。一方、ポリエステル繊維等からなる織布を用いると、透湿度を低く抑えられるとともに、指の動きに対する追従性に優れた粘着保護部材とすることができる。
したがって、優れた使用感等が得られやすいことから、基材の伸び率（ＪＩＳ−Ｌ−１０９６準拠、以下同様である。）が４００％以上であることが好ましく、５００〜８００％の範囲内の値であることがより好ましい。
但し、このように伸び率が大きくて取り扱いが困難な基材を使用する場合には、図１（ｃ）に示すように、基材１２の表面に、補強用剥離部材１６´を積層することが好ましい。このように補強用剥離部材を積層することにより、所定箇所に容易に貼付できるとともに、切り傷等が発生した部分を選択的に被覆でき、さらには、製造時の工程紙としての機能を発揮させることもできる。
なお、補強用剥離部材は、剥離部材としての機能以外に、補強部材としての機能を発揮することから、繊維や無機充填剤等の補強材を含んだり、通常の剥離部材よりも厚くしたり、機械的強度を高めたりすることが好ましい。
【００２０】
（２）厚さ
また、かかる基材の厚さを５〜３０μｍの範囲内の値とする。この理由は、かかる基材の厚さが５μｍ未満の値になると、機械的強度が低下し、粘着保護部材の用途に適さない場合があるためである。
一方、かかる基材の厚さが３０μｍを超えると、過度に厚くなって、取り扱いが困難となるばかりか、粘着保護部材を構成した場合に、皮膚等から容易に剥離する場合があるためである。したがって、基材の厚さを１０〜３０μｍの範囲内の値とすることがより好ましい。
そして、伸び率が大きくて、薄手の基材を使用する場合には、所定箇所に容易に貼付できるとともに、切り傷等が発生した部分を選択的に被覆したり、さらには容易に製造できることから、上述したように、基材の表面に、補強用剥離部材を積層する。
【００２１】
（３）形状
また、指爪の周囲を表面的に覆うように貼付するか、あるいは指の長手方向に沿って、指の表面側を覆うように貼付するために、粘着保護部材の平面形状を、略三日月状、楕円、円形、四角形、または多角形とすることを特徴とする。そして、指爪の周囲を表面的に覆うように貼付するには、図１（ａ）に示すように、基材１２の平面形状を、指爪の周囲を表面的に覆うことができるように、略三日月状とすることがより好ましい。すなわち、略三日月状の一例ではあるが、図１（ａ）に示すように、上方に湾曲した内側側面１０ａと、その内側側面１０ａとほぼ平方配置されて、同様に上方に湾曲した外側側面１０ｂと、概ね角状の形状を示す右側側面１０ｃ及び左側側面１０ｄとを備えている。また、内側側面１０ａと、ほぼ平方配置された外側側面１０ｂとの間の距離（ｔ１）は、２〜３０ｍｍ程度の値である。また、右側側面１０ｃ及び左側側面１０ｄにおける内側側面１０ａと、ほ外側側面１０ｂとの間の距離（ｔ２）は、ｔ１よりも小さい値であって、０．５〜２０ｍｍ程度の値である。さらに、右側側面１０ｃの先端と、左側側面１０ｄの先端との間の距離（ｔ３）は、５〜２５ｍｍ程度の値である。
この理由は、基材の平面形状をこのような略三日月状等とすることにより、同様に、略三日月状に湾曲した指爪の周囲に沿って、切り傷等が生じる部分のみを被覆することができるためである。したがって、指に対する違和感が生じることなく、効果的に切り傷等を保護することができるためである。
また、このような平面形状であれば、円形状や指に巻くテープ状と異なり、指の動きを制限することが少なくなり、パーソナルコンピューターや携帯電話等を使用する場合であっても、指に対する違和感がさらに少なくなるためである。
さらに、このような平面形状であれば、指の動きに追随しやすくなって、粘着剤層に対する負荷が少なくなって、容易に剥離しないためでもある。
【００２２】
また、基材１２の平面形状に関して、図３に示すように、略三日月状の粘着保護部材１０の内側側面１０ａと、別の略三日月状の粘着保護部材１０の外側側面１０ｂとが係合するための係合部材１１を備えることが好ましい。
すなわち、略三日月状の粘着保護部材１０の内側側面１０ａと、隣接する別の略三日月状の粘着保護部材１０の外側側面１０ｂとが、部分的であっても、辺として係合接触する箇所を有していることが好ましい。図３に示す粘着保護部材１０の場合、内側側面１０ａと、外側側面１０ｂとの中央部に位置する平坦部が、この場合の係合部材１１となる。
この理由は、このように構成することにより、複数枚の粘着保護部材を隙間なく並べることができ、省スペース化上、極めて有利であるためである。また、複数枚の粘着保護部材を隙間なく並べることができれば、複数枚の粘着保護部材を連続的に切断して作成することができ、製造工程上も有利である。
また、指の大きさや、切り傷等の保護箇所の大きさに合わせて、複数枚の粘着保護部材を並べて使用することができることから、使用選択上も、極めて有利である。
なお、図３に示す粘着保護部材１０の場合、内側側面１０ａと、平方配置された外側側面１０ｂとの間の距離（ｔ´１）は、右側側面１０ｃ及び左側側面１０ｄにおける内側側面１０ａと、ほ外側側面１０ｂとの間の距離（ｔ´２）と実質的にほぼ等しい値であって、それぞれ２〜３０ｍｍ程度である。さらに、右側側面１０ｃの先端と、左側側面１０ｄの先端との間の距離（ｔ´３）は、５〜２５ｍｍ程度の値である。
【００２３】
また、このように複数枚の粘着保護部材を並べて配置する場合、図３に示すように、略三日月状の平面形状を、基本的に直線部分から構成し、右側側面１０ｃ及び左側側面１０ｄも直線部分から構成することがより好ましい。
この理由は、全ての側面が直線部分から構成してあれば、複数枚の粘着保護部材を連続的に切断して作成する際にも、切断精度が著しく向上するためである。また、隣接する略三日月状の粘着保護部材の側面同士が、辺として係合接触することができるため、図示しないものの、横方向においても複数枚の粘着保護部材をさらに密に並べて配置することができるためである。
【００２４】
また、基材１２の平面形状に関して、図４に示すように、略三日月状の粘着保護部材１０の側面に、フラップ部１０ｅ、１０ｆが設けてあることが好ましい。
この理由は、このように構成することにより、粘着力を補強したり、取り扱いの容易性を向上させたりすることができるためである。また、指の大きさや、切り傷等の保護箇所の大きさに合わせてフラップ部の大きさを変えられることからも、使用選択上も、極めて有利である。
なお、フラップ部の形状は特に制限されるものではないが、半円形状、楕円形、長方形、正方形、三角形、波型形状等の各種形状を採用することができる。
【００２５】
（４）撥水処理層
また、図５（ａ）に示すように、基材１２の表面に、撥水処理層（サイジング層を含む）１１を設けることが好ましい。
この理由は、このように構成することにより、水仕事や外仕事、あるいは医療分野等においても、外部からの液体物の進入を容易に防止して、衛生環境上好ましいばかりか、粘着保護部材の剥がれを有効に防止することができるためである。
なお、このような撥水層は、例えば、フッ素樹脂やシリコーン樹脂等から構成することが好ましい。
【００２６】
（５）透湿度
また、粘着保護部材の用途にもよるが、ＪＩＳ  Ｚ−０２０８に準拠して測定される基材の透湿度を、１００〜９００ｇ／ｍ2・２４Ｈｒｓの範囲内の値とすることが好ましい。
この理由は、このように基材の透湿度を制御することにより、水仕事や外仕事、あるいは医療分野等においても、外部からの液体物の進入を容易に防止して、衛生環境上好ましいばかりか、粘着保護部材の剥がれを有効に防止することができるためである。
したがって、基材の透湿度を、１５０〜８００ｇ／ｍ2・２４Ｈｒｓの範囲内の値とすることがより好ましく、２００〜７００ｇ／ｍ2・２４Ｈｒｓの範囲内の値とすることがさらに好ましい。
但し、一部用途が制限されるものの、図５（ｂ）に示すように、基材として不織布を使用した場合や、基材に通気孔を設けた場合には、ＪＩＳ  Ｚ−０２０８に準拠して測定される基材の透湿度を、１０００ｇ／ｍ2・２４Ｈｒｓ以上の値とすることが好ましい。
【００２７】
（６）識別マーク及び装飾層
また、図５（ｃ）に示すように、基材１２の表面に、指爪の種類に対応した識別マークや装飾層１３が設けてあることが好ましい。
この理由は、このような指の識別マークとして、数字マーク、漢字マーク、絵文字マーク、あるいは点字マーク等を設けることにより、最適サイズの粘着保護部材１０を一目瞭然で選別することができ、粘着保護部材１０を使用する際の使い勝手を著しく向上させることができるためである。
また、このような装飾層１３として、数字柄、漢字柄、絵文字柄、あるいは写真絵柄等を表す装飾層を設けることにより、粘着保護部材１０を使用する際の使い勝手性が向上するばかりか、ファッション性についての価値も向上させることができるためである。特に、蛍光剤を含む装飾層とすることにより、夜間における認識性を高めることも可能である。
【００２８】
２．粘着剤層
粘着剤層を構成する粘着剤の種類は特に制限されるものではないが、例えば、以下に説明するオルガノポリシロキサン系感圧粘着剤や、アクリル系粘着剤を使用することが好ましい。
【００２９】
（１）オルガノポリシロキサン系感圧粘着剤
本発明においては粘着層には、主成分として、オルガノポリシロキサン系感圧粘着剤を用いることが好ましい。
この理由は、オルガノポリシロキサン系感圧粘着剤を用いることにより、皮膚に対して、適度な粘着性を示すことができる一方、耐クリープ性、耐水性、さらには耐薬品性についても向上させることができるためである。
このようなオルガノポリシロキサン系感圧接着剤の代表例としては、たとえば、一般式(１)や一般式(２)で表される構造を有するシリコーン樹脂を配合して、脱水縮合することによりえられるオルガノポリシロキサンなどが好ましい。
【００３０】
【化１】
2010148932.tif 000003
【００３１】
（一般式(１)中、Ｒ1およびＲ2は、それぞれメチル基またはフェニル基、ｎは１０〜１００００の整数を示す。）
【００３２】
【化２】
2010148932.tif 000004
【００３３】
（一般式(２)中、ｍは１０〜１００００の整数を示す。）
【００３４】
また、一般式(１)において、Ｒ1およびＲ2はそれぞれメチル基またはフェニル基であるが、粘着層に耐熱性などを付与せしめるためには、かかるメチル基とフェニル基のモル比（メチル基／フェニル基）を、２５／７５〜９８／２の範囲内の値とすることが好ましく、８５／１５〜９５／５の範囲内の値とすることがより好ましい。
さらに、また、一般式(１)および一般式(２)において、ｎおよびｍは、通常、不織布上に粘着層を形成する作業性を考慮すれば、感圧粘着剤の粘度が２０００〜２０００００ｃＰ（２５℃）となるように数値を調整することが好ましい。
【００３５】
（２）無機充填剤
オルガノポリシロキサン系感圧粘着剤中に、全体量に対して、無機充填剤を０．１〜１０重量％の範囲で添加することが好ましい。
この理由は、このような範囲で無機充填剤を添加することにより、粘着剤の凝集力が向上し、剥がしたときに、粘着剤が糊残ることが少なくなるためである。
また、無機充填剤の添加量を、全体量に対して、１〜１０重量％の範囲内の値、好ましくは３〜７重量％の範囲内の値とすることである。
この理由は、かかる添加量が１重量％未満の場合には、オルガノポリシロキサン系感圧粘着剤が、被着体としての皮膚に残ることがあり、かかる添加量が１０重量％をこえる場合には、粘着剤の凝集力が過度に向上し、粘着力が著しく低下する場合があるためである。
したがって、全体量に対して、無機充填剤を０．５〜８重量％の範囲で添加することがより好ましく、１〜５重量％の範囲で添加することがさらに好ましい。
い。
【００３６】
また、オルガノポリシロキサン系感圧粘着剤に含有される無機充填剤の平均粒子径を１〜２０μｍ、好ましくは４〜１２μｍの範囲内の値とすることが好ましい。
この理由は、無機充填剤の平均粒子径が１μｍ未満の場合には、無機充填剤が凝集しやすくなって、オルガノポリシロキサン系感圧粘着剤に均一に分散することが困難となる場合があるためである。また、無機充填剤の平均粒子径が１０μｍを超えると、形成される粘着層の厚さが、通常、２５〜３０μｍであるため、その表面上に無機充填剤が突出し、ザラツキ感を与える場合があるためである。さらに、無機充填剤の平均粒子径が大きくなると、製造工程において、無機充填剤のオルガノポリシロキサン系感圧粘着剤中における沈降速度が速くなって、均一な分散状態とすることが困難となる場合があるためである。
また、無機充填剤の具体例としては、たとえば炭酸カルシウム、ベントナイト、酸化チタン、酸化亜鉛、カリオン、シリカなどの一種単独または二種以上の組み合わせが挙げられる。
【００３７】
（３）アクリル系粘着剤
また、オルガノポリシロキサン系感圧粘着剤に添加して（全体量の１０〜３０重量％）、あるいはオルガノポリシロキサン系感圧粘着剤とは独立的（全体量の１００重量％）に、アクリル系粘着剤を使用することが好ましい。
この理由は、このようなアクリル系粘着剤を使用することにより、粘着剤の凝集力を低下させずに、タック性を容易に向上させることができるためである。
ここで、このようなアクリル系粘着剤の種類としては、たとえばアクリル酸２−エチルヘキシルおよびアクリル酸ブチルを主成分としたアクリル系共重合体が代表例としてあげられる。
また、このようなアクリル酸２−エチルヘキシルおよびアクリル酸ブチルとの配合割合は、重量比で２０：８０〜８０：２０、好ましくは２０：８０〜４０：６０となるように調整される。アクリル酸２−エチルヘキシルの割合が過度に少ない場合には、粘着剤の凝集力が増加し、粘着力が低下する場合があるためである。一方、アクリル酸２−エチルヘキシルの割合が過度に多い場合には、粘着剤の凝集力が低化しすぎて粘着力が低下する傾向があるためである。
なお、アクリル系粘着剤を構成するモノマー成分として、アクリルアミドやビニルカルボン酸を、全体量に対して、５重量％を超えない範囲で配合してもよい。
さらに、オルガノポリシロキサン系粘着剤との相溶性を考慮して、アクリル系粘着剤の粘度を５００〜２００００ｃＰ(２５℃)の範囲内の値とすることが好ましい。
【００３８】
（４）架橋剤
また、オルガノポリシロキサン系粘着剤に熱硬化性を付与し、高温下における粘着性を向上せしめるために、たとえば過酸化ベンゾイルや過酸化ジクミルなどの有機過酸化物や白金触媒を、オルガノポリシロキサン系粘着剤の固形分に対して、１．５〜３重量％の範囲で添加することが好ましい。
なお、添加効果を有効に発揮させるために、有機過酸化物や白金触媒を添加した後に、１２０℃以上の温度で加熱することが好ましい。
【００３９】
（５）添加剤
また、粘着剤組成物中に、所定の薬効を発揮できるように、添加剤の一種として、製剤（薬物）を添加することが出来る。このような製剤の種類は特に制限されるものではないが、例えば、抗炎症薬剤、消炎鎮痛剤、冠血管拡張剤、喘息薬、抗高血圧剤、抗ヒスタミン剤、精神安定剤、抗生物質、麻酔剤、ビタミン剤等の一種単独または二種以上の組合せが挙げられる。
また、製剤の添加量は、製剤の種類や粘着剤組成物の用途によって異なるが、例えば、粘着剤組成物の全体量に対して、０．１〜３０質量％の範囲内の値とすることが好ましい。
【００４０】
また、粘着剤組成物中に、各種添加剤を添加することが好ましい。例えば、酸化防止剤、粘度調整剤、紫外線吸収剤、隠蔽剤、可塑剤、ワックス、着色剤、無機フィラー、有機フィラー、増量剤、カップリング剤等の一種単独または二種以上の組合せが挙げられる。
【００４１】
３．剥離接着力
また、ＪＩＳ  Ｚ０２３７に準拠した粘着保護部材の剥離接着力（モード：Ｔモード剥離、被着体：ステンレス板、剥離速度：３００ｍｍ／ｍｉｎ）を３００〜２０００ｇ／２５ｍｍの範囲内の値とすることが好ましい。
この理由は、かかる剥離接着力が３００ｇ／２５ｍｍｍｍ未満の値になると、皮膚等から容易に剥離してしまい、粘着保護部材としての機能に劣る場合があるためである。一方、かかる剥離接着力が２０００ｇ／２５ｍｍを超えると、粘着剤を皮膚から除去することが困難になったり、あるいは、皮膚刺激性が過度に高くなって、使用時に不快感が生じたりする場合があるためである。
したがって、かかる粘着保護部材の剥離接着力を５００〜１５００ｇ／２５ｍｍの範囲内の値とすることがより好ましく、９００〜１２００ｇ／２５ｍｍの範囲内の値とすることがさらに好ましい。
【００４２】
［第２の実施形態］
第２の実施形態は、少なくとも粘着剤層と、厚さが５〜３０μｍの範囲内の値である基材と、を含み、指の裏側を露出させた状態で、指爪の周囲を表面的に覆うように貼付するか、あるいは指の長手方向に沿って、指の表面側を覆うように貼付するための粘着保護部材の製造方法（但し、さかむけ用粘着保護部材の製造方法を除く。）であって、基材の表面に、補強用剥離部材が積層してあり、かつ、平面形状を略三日月状、楕円、円形、四角形、または多角形とする以下の工程（ａ）〜（ｂ）を含むことを特徴とする粘着保護部材の製造方法である。
（ａ）基材上に、剥離部材付きの粘着剤層を形成する工程
（ｂ）平面形状が略三日月状、楕円、円形、四角形、または多角形となるように切断して、粘着保護部材とする工程
なお、第１の実施形態で説明した内容は適宜省略し、第２の実施形態に特有の内容を説明する。
【００４３】
１．粘着剤層の形成工程
図６（ａ）に示すように、剥離部材１６上に、粘着剤層１４を形成する工程である。その場合、粘着剤層１４の形成方法は特に制限されるものではないが、例えば、ロールコーター、コンマコーター、ナイフコーター等を用いて、粘着剤組成物を基材上に均一に塗布することにより、容易に製造することができる。
また、粘着剤組成物の種類によるが、溶剤を飛散させたり、架橋処理を施したりするために、一定条件下で、加熱処理することも好ましい。
なお、上述したように、基材の伸び率（ＪＩＳ−Ｌ−１０９６準拠）が４００％以上であって、あるいはかかる基材の厚さが１０〜３０μｍの場合には、取り扱い上、所定箇所に容易に貼付できるとともに、切り傷等が発生した部分を選択的に被覆したり、さらには容易に製造できることから、図１（ｃ）に示すように、基材１２の表面に、シリコーン剥離紙やシリコーン剥離フィルム等から構成された補強用剥離部材１６´を予め積層しておくことが好ましい。
【００４４】
２．ラミネート工程
図６（ａ）に示すように、剥離部材１６上の粘着剤層１４の上に、基材１２をさらに積層する工程である。その場合、基材１２を積層方法は特に制限されるものではないが、例えば、ラミネートや押圧ロール等を用いることができる。
【００４５】
３．切断工程
図６（ｃ）に示すように、切断治具２０を用いて、基材１２を積層した状態の積層物を、図６（ｄ）に示すような所定形状に切断して、粘着保護部材１０とする工程である。その場合、切断治具２０として、カッター、ナイフ、レーザー、切断わく等を用いることができる。
また、その後の取り扱いを考慮して、剥離部材１６は切断せずに、基材１２及び粘着剤層１４のみを所定形状に切断することも好ましい。
【符号の説明】
【００４６】
１０：粘着保護部材
１０ａ：内側側面
１０ｂ：外側側面
１０ｃ：右側側面
１０ｄ：左側側面
１０ｅ：右側フラップ部
１０ｆ：左側フラップ部
１１：係合部材
１２：基材
１４：粘着剤層
１６：剥離部材
１６´：補強剥離部材
２０：切断治具
３０：指爪
３１：指
【図１】
2010148932.tif 000005
【図２】
2010148932.tif 000006
【図３】
2010148932.tif 000007
【図４】
2010148932.tif 000008
【図５】
2010148932.tif 000009
【図６】
2010148932.tif 000010
【図７】
2010148932.tif 000011